(57)【要約】【課題】マイクロコンピュータを用いなくても温度上昇等に応じて電動送風機のパワーダウン制御を行なう電気掃除機を提供する。【解決手段】電気掃除機１００であって、吸引する力を生み出すための電動送風機と、少なくとも温度および圧力のうちの一方が設定値となっているかを検知するためのセンサと、電動送風機の動作を制御するための制御回路とを備え、制御回路は、制御信号に応じて電動送風機に交流電力を供給するための駆動部と、コンデンサの充放電を行い、充電電圧が所定電圧以上となるに応じて、駆動部に制御信号を出力するための充放電回路と、抵抗値を有する抵抗体とを含み、制御回路は、検知手段による検知に応じて、抵抗体の一方端と他方端とを電気的に接続させるためのフォトカプラの導通と遮断とを切り換える。【選択図】        図１
2004261239.tif 000002
【特許請求の範囲】
【請求項１】
吸引する力を生み出すための送風手段と、
制御信号に応じて前記送風手段に交流電力を供給するための駆動手段と、
少なくとも温度および圧力のうちの一方が設定値となっているかを検知するための検知手段と、
前記交流電力の位相に関連する位相情報に基づいて、前記駆動手段を位相制御するための位相制御手段とを備え、
前記位相制御手段は、
抵抗値を有する抵抗体と、
容量値を有する蓄電手段と、
前記検知手段による検知に応じて、前記抵抗値および前記容量値のうち少なくとも一方を変更するための位相情報変更手段と、
前記抵抗値と前記容量値とに対応する時定数に基づいて、前記位相情報を生成する位相情報生成手段とを含む、電気掃除機。
【請求項２】
前記位相制御手段は、
第１の所定電圧以上となるに応じて、前記蓄電手段の充放電を行なうための充放電手段と、
前記蓄電手段の充電電圧の検出を行なうための電圧検出手段とを含み、
前記電圧検出手段により検出された前記充電電圧が第２の所定電圧以上となるに応じて、前記駆動手段に前記制御信号を出力し、
前記位相情報変更手段は、前記抵抗体の一方端と他方端とを電気的に接続させるためのスイッチと、
前記検知手段による前記検知に応じて、前記スイッチの導通と遮断とを切り換えるためのスイッチ制御手段とを含む、請求項１記載の電気掃除機。
【請求項３】
前記スイッチは、第１のフォトカプラを含み、
前記第１のフォトカプラは、
導通に応じて発光を行なうための第１の発光手段と、
前記第１の発光手段による光に応じて、導通および遮断のうちのいずれかとなる第１の導通経路とを有し、
前記第１の導通経路は、前記抵抗体の一方端と他方端との間の経路上に、導通するために設けられ、
前記スイッチ制御手段は、前記第１の発光手段の制御を行ない、
前記検知手段による前記検知に応じて、前記第１の発光手段による前記発光を停止する、請求項２記載の電気掃除機。
【請求項４】
前記位相制御手段は、前記抵抗体と、前記蓄電手段とを含む経路が導通するか否か検知するための第２のフォトカプラをさらに含み、
前記第２のフォトカプラは、
前記抵抗体と、前記蓄電手段とを含む経路上に設けられる第２の発光手段と、
前記第２の発光手段による光に応じて、導通および遮断のうちのいずれかとなる第２の導通経路とを有し、
前記スイッチ制御手段は、前記第２の導通経路の前記導通の検知を行ない、
前記第２の導通経路の前記導通に応じて、所定の時間、前記第１の発光手段による前記発光を停止する、請求項３記載の電気掃除機。
【請求項５】
前記抵抗体と、前記蓄電手段とを含む経路を導通させるための操作手段と、
前記検知手段による前記検知に応じて、警報表示を行なうための警報表示手段とをさらに備え、
前記位相制御手段は、前記抵抗体と、前記蓄電手段とを含む前記経路が導通するか否かを検知するための第２のフォトカプラをさらに含み、
前記第２のフォトカプラは、
前記抵抗体と、前記蓄電手段とを含む経路上に設けられる第２の発光手段と、
前記第２の発光手段による光に応じて、導通および遮断のうちのいずれかとなる第２の導通経路とを有し、
前記スイッチ制御手段は、前記第２の導通経路の前記導通の検知を行ない、
前記警報表示の後に前記操作手段により前記抵抗体および前記蓄電手段を含む前記経路の電流の前記遮断が行なわれる場合、前記第２の導通経路の前記導通に応じて、前記検知手段による前記検知に関わらず、所定の時間、前記第１の発光手段による前記発光を行なう、請求項３記載の電気掃除機。
【請求項６】
前記スイッチ制御手段は、前記所定の時間の経過後に、前記検知手段による前記検知に応じて、前記第１の発光手段による前記発光を停止する、請求項５記載の電気掃除機。
【請求項７】
前記スイッチ制御手段は、前記所定の時間、前記警報表示を停止する、請求項５記載の電気掃除機。
【請求項８】
前記スイッチ制御手段は、前記検知手段による前記検知に応じて、前記第１の発光手段による前記発光を停止する場合、前記第２の導通経路の前記導通が検知される間、前記第１の発光手段による前記発光の停止を継続する、請求項３記載の電気掃除機。
【発明の詳細な説明】
【０００１】
【発明の属する技術分野】
本発明は、電気掃除機の構成に関する。
【０００２】
【従来の技術】
従来から、交流で駆動する電気掃除機の電動送風機の入力制御は、行なわれている。そのほとんどがマイクロコンピュータを用いて制御している。また、温度センサとしてサーミスタを用いた場合はマイクロコンピュータを用いて制御していた。
【０００３】
マイクロコンピュータを用いないパワー制御の例として、たとえば、風量の低下時の吸込力を高めるとともに、電気掃除機の高吸込力化の動きの中で掃除機の熱的制限の克服およびモータのブラシ耐久性の確保をし、さらに掃除性能を高めることを目的とした電気掃除機について以下のような構成が公知である（特許文献１を参照）。すなわち、従来例では、モータの負荷電流を検出する電流検出手段と、集塵室内の真空圧を検出する圧力スイッチと、電流検出手段と圧力スイッチの出力の信号処理手段と、位相制御手段を有し、位相制御手段は信号処理手段の出力で設定された位相制御の位相値でモータの消費電力を制御し、風量に応じて消費電力が変化するよう構成しているので、ごみ量が多くなって風量が激減したときには圧力スイッチにより消費電力低減することができ、熱的制限を解消できる。
【０００４】
【特許文献１】
特開平１０−２０１６８９号公報明細書
【０００５】
【発明が解決しようとする課題】
しかしながら、従来の構成では、各種アナログセンサで制御するには、マイクロコンピュータを用いる必要があるとともに、操作スイッチに応じたパワーダウン制御ができないという課題があった。
【０００６】
また、一度センサが動作すると、原因を取り除いても温度低下等ができず、すぐに通常運転ができないという課題があった。
【０００７】
あるいは、スロースタートを行なう際には、マイクロコンピュータによる制御が必要であるという課題があった。
【０００８】
本発明は、上記のような問題点を解決するためになされたものであって、その目的は、低コスト、小形でかつ安全で使い勝手がよい電気掃除機を提供するものである。
【０００９】
【課題を解決するための手段】
この発明のある局面に係る電気掃除機は、吸引する力を生み出すための送風手段と、制御信号に応じて送風手段に交流電力を供給するための駆動手段と、少なくとも温度および圧力のうちの一方が設定値となっているかを検知するための検知手段と、交流電力の位相に関連する位相情報に基づいて、駆動手段を位相制御するための位相制御手段とを備え、位相制御手段は、抵抗値を有する抵抗体と、容量値を有する蓄電手段と、検知手段による検知に応じて、抵抗値および容量値のうち少なくとも一方を変更するための位相情報変更手段と、抵抗値と容量値とに対応する時定数に基づいて、位相情報を生成する位相情報生成手段とを含む。
【００１０】
好ましくは、位相制御手段は、第１の所定電圧以上となるに応じて、蓄電手段の充放電を行なうための充放電手段と、蓄電手段の充電電圧の検出を行なうための電圧検出手段とを含み、電圧検出手段により検出された充電電圧が第２の所定電圧以上となるに応じて、駆動手段に制御信号を出力し、位相情報変更手段は、抵抗体の一方端と他方端とを電気的に接続させるためのスイッチと、検知手段による検知に応じて、スイッチの導通と遮断とを切り換えるためのスイッチ制御手段とを含む。
【００１１】
好ましくは、スイッチは、第１のフォトカプラを含み、第１のフォトカプラは、導通に応じて発光を行なうための第１の発光手段と、第１の発光手段による光に応じて、導通および遮断のうちのいずれかとなる第１の導通経路とを有し、第１の導通経路は、抵抗体の一方端と他方端との間の経路上に、導通するために設けられ、スイッチ制御手段は、第１の発光手段の制御を行ない、検知手段による検知に応じて、第１の発光手段による発光を停止する。
【００１２】
好ましくは、位相制御手段は、抵抗体と、蓄電手段とを含む経路が導通するか否か検知するための第２のフォトカプラをさらに含み、第２のフォトカプラは、抵抗体と、蓄電手段とを含む経路上に設けられる第２の発光手段と、第２の発光手段による光に応じて、導通および遮断のうちのいずれかとなる第２の導通経路とを有し、スイッチ制御手段は、第２の導通経路の導通の検知を行ない、第２の導通経路の導通に応じて、所定の時間、第１の発光手段による発光を停止する。
【００１３】
好ましくは、抵抗体と、蓄電手段とを含む経路を導通させるための操作手段と、検知手段による検知に応じて、警報表示を行なうための警報表示手段とをさらに備え、位相制御手段は、抵抗体と、蓄電手段とを含む経路が導通するか否かを検知するための第２のフォトカプラをさらに含み、第２のフォトカプラは、抵抗体と、蓄電手段とを含む経路上に設けられる第２の発光手段と、第２の発光手段による光に応じて、導通および遮断のうちのいずれかとなる第２の導通経路とを有し、スイッチ制御手段は、第２の導通経路の導通の検知を行ない、警報表示の後に操作手段により抵抗体および蓄電手段を含む経路の電流の遮断が行なわれる場合、第２の導通経路の導通に応じて、検知手段による検知に関わらず、所定の時間、第１の発光手段による発光を行なう。
【００１４】
好ましくは、スイッチ制御手段は、所定の時間の経過後に、検知手段による検知に応じて、第１の発光手段による発光を停止する。
【００１５】
好ましくは、スイッチ制御手段は、所定の時間、警報表示を停止する。
好ましくは、スイッチ制御手段は、検知手段による検知に応じて、第１の発光手段による発光を停止する場合、第２の導通経路の導通が検知される間、第１の発光手段による発光の停止を継続する。
【００１６】
【発明の実施の形態】
以下、本発明の実施の形態について図面を用いて詳細に説明する。以下の説明では、同一の構成部分には同一の符号を付してあり、それらの名称および機能も同じである。したがって、それらについて詳細な説明は繰り返さない。
【００１７】
図１は、本発明の実施の形態における電気掃除機１００の概略を示す図である。
【００１８】
図１を参照して、本発明の実施の形態における電気掃除機１００は、吸引口を有するヘッド２と、手元操作部８を含み電気掃除機１００を操作するためのグリップ６と、ヘッド２とグリップ６を接続するためのパイプ４と、電気掃除機１００がヘッド２から吸引した吸引物を通すためのホース１０と、掃除機本体２００と、家庭電源のコンセントに差し込むための電源プラグ１４と、コンセントからの電力を伝達するための電源コード１２とを備える。
【００１９】
図２は、図１に示した掃除機本体２００の概略を示す図である。
図２を参照して、掃除機本体２００は、掃除機本体２００内部に吸引したものを集めるための集塵室１６と、吸引力を生み出すための電動送風機１８と、電動送風機１８の駆動を制御するための制御回路３００とを含む。
【００２０】
電動送風機１８の吸引力により吸引されたものは、集塵室１６に蓄積される。また、電動送風機１８は、手元操作部８により制御回路３００を介してＯＮ―ＯＦＦ（あるいは強、弱、停止等）の制御を受ける。
【００２１】
図３は、本発明の実施の形態における掃除機本体２００内部に含まれる制御回路３００の機能ブロック図である。
【００２２】
図３を参照して、制御回路３００は、制御信号に応じて、電動送風機１８に供給するための駆動部２０と、所定の容量値を有する蓄電部（図示せず）に充電を行ない、蓄電部に充電された電圧が所定の電圧となるに応じて駆動部２０に制御信号を出力するための充放電回路部２２と、温度が設定値以上となっているかを検知するためのセンサ３６と、充放電回路部２２に電力を供給するための電源部３２と、電源部３２から充放電回路部２２に至る経路の抵抗値を変更するための抵抗値可変部４０と、手元操作部８のスイッチがＯＮとなっているか否かを検知するための導通検知部４２と、センサ３６による検知に応じて警報を表示するための警報表示装置３８と、抵抗値可変部４０および導通検知部を制御するための制御部２４と、制御部２４に電力を供給するための電源部３４とを含む。
【００２３】
電動送風機１８は、手元操作部８による操作により、駆動部２０を介してＯＮ、ＯＦＦあるいは強、弱等のパワー制御を受ける。
【００２４】
電動送風機１８の強弱の制御は、電源部３２から充放電回路部２２に至る経路に含まれる抵抗体の抵抗値および蓄電部の容量値に対応する時定数により生成される位相情報により、供給される交流電圧のうちの、駆動部２０が電動送風機１８に供給する電圧を制御する、いわゆる、「位相制御」により行なう。本発明の実施の形態において、蓄電部は、コンデンサを含む。また、位相情報は、交流電源の電圧の位相に関連する情報を含む。充放電回路部２２は、位相情報により交流電源の電圧が電圧値が０となる位相に応じて、充放電を開始する。このとき、充放電回路部２２に含まれるコンデンサの充放電周期は、電源部３２から充放電回路部２２に至る経路の抵抗値および容量値に対応する時定数により決定される。すなわち、抵抗値および容量値のうちの少なくとも一方を可変とすることにより、駆動部２０により電動送風機１８に供給される交流電圧の制御を行なうことができる。
【００２５】
手元操作部８は、抵抗体８ａと抵抗体８ｂとスイッチ８ｃとを含む。抵抗体８ａと抵抗体８ｂとは、直列に接続される。抵抗体８ｂの一方端は、充放電回路部２２に至る経路の一端に接続される。ユーザは、手元操作部８に含まれる電源部３２からの経路の一端と接続されるスイッチ８ｃを、直列に接続される抵抗体８ａと抵抗体８ｂの各ノードに選択的に接続する。選択されたノードに応じて、電源部３２から充放電回路部２２に至る経路の抵抗値が変化することにより、強、中、弱のパワー制御を行なうことができる。
【００２６】
図４は、本発明の実施の形態において、駆動部２０に入ってくる交流電圧のうち、位相制御により、電動送風機１８に供給される電圧を説明するための図である。図４（ａ）は、充放電回路部２２における充放電の周期を示す図である。図４（ｂ）は、制御信号に応じて駆動部２０より電動送風機１８に供給される電圧を説明するための図である。
【００２７】
図４（ａ）を参照して、手元操作部８の導通により、充放電回路部２２は、内部のコンデンサへの充電を開始する。このとき、電源部３２から充放電回路部２２に至る経路にダイオードを有するフォトカプラを含んでいるため、交流電圧がダイオードの導通可能な電圧を越えるときから、経路に電流が流れ始める。そのため、充電開始時間は、交流電圧のゼロクロス点からずれた時点から充電が開始される。また、充放電回路部２２は、コンデンサに充電される充電電圧を検出している。検出された充電電圧は、所定の充放電周期となるように設定される設定電圧になる場合に、充放電回路部２２は、駆動部２０に制御信号を出力する。
【００２８】
図４（ｂ）を参照して、充放電周期を可変とすることにより、電動送風機１８の駆動の強弱等の制御を行なうことができる。充放電周期の制御は、交流電源のゼロクロスから駆動部２０をＯＮするまでの時間を制御することとなる。駆動部２０をＯＮするまでの時間を制御することにより、交流電源の導通率が変化する。その結果、電動送風機１８の駆動の制御が行なわれる。
【００２９】
駆動部２０は、制御信号に応じて交流電源の電圧を電動送風機１８に供給する。そして、駆動部２０は、交流電源の電圧が次のゼロクロスとなるまで、電動送風機１８に電圧を供給する。上記のような制御が各半サイクル毎に繰り返される。制御信号がゼロクロスに近い程、電動送風機１８の出力は大きくなる。
【００３０】
センサ３６は、電気掃除機１００内部の温度が設定値以上となっているかの検知を行なう。センサ３６により検知されるものは、温度に限定されない。たとえば、圧力であってもよい。または、温度と圧力の両方の検知を行なってもよい。
【００３１】
制御部２４は、センサ３６による検知に応じて、抵抗値可変部４０により、内部に含まれる抵抗体の抵抗値を可変とする。制御部２４による制御を受けて、抵抗値を変更する抵抗値可変部４０は、抵抗体３０の一方端と他方端とを電気的に接続させるためのスイッチを含む。スイッチとして、好ましくは、フォトカプラを利用するのが望ましい。たとえば、抵抗値可変部４０は、抵抗値を有する抵抗体３０と、発光部２６ａと受光部２６ｂを内部に有するフォトカプラ２６とが並列に接続される。
【００３２】
フォトカプラ２６は、発光部２６ａと受光部２６ｂとが空間または光ファイバのようなものを用いて電気的に絶縁されているアイソレーション回路であって、導通に応じて発光する発光部２６ａと、発光部２６ａによる光に応じて、導通する受光部２６ｂとを有する。受光部２６ｂは、抵抗体３０の一方端と他方端との間の経路上に、導通するために設けられる。ここで、発光部２６ａは、特に限定されないが、たとえば、フォトダイオードである。また、受光部２６ｂは、特に限定されないが、たとえば、フォトトランジスタである。
【００３３】
制御部２４は、発光部２６ａによる発光の制御を行なう。制御部２４は、手元操作部８がＯＮされてから、通常、フォトカプラ２６の発光部２６ａに通電させている。このとき、充放電回路部２２内のコンデンサを充電するための充電電流は、フォトカプラ２６の受光部２６ｂを介して流れる。制御部２４は、センサ３６により検知される入力が設定値以上となるに応じて、発光部２６ａによる発光を停止させる。すなわち、受光部２６ｂに流れる電流は、遮断される。充電電流は、抵抗体３０を介して流れるため、充電電圧が設定電圧となるまでの時間が長くなる。その結果、電動送風機１８の出力は、交流電源の導通率が低下するため、電流が受光部２６ｂを介して流れる場合と比べて小さくなる。
【００３４】
また、制御部２４は、センサ３６により検知される入力が設定値以上となるに応じて、警報表示装置３８により、警報表示を表示させる。
【００３５】
制御部２４は、導通検知部４２により、電源３２から充放電回路部２２に至る経路が導通しているか否かを検知することができる。すなわち、制御部２４は、手元操作部８がＯＦＦか否かを検知することができる。
【００３６】
また、導通検知部４２においても、好ましくは、フォトカプラを利用するのが望ましい。たとえば、導通検知部４２は、内部に発光部２８ａと受光部２８ｂとを有するフォトカプラ２８である。
【００３７】
フォトカプラ２８は、発光部２６ａと受光部２６ｂとが空間または光ファイバのようなものを用いて電気的に絶縁されているアイソレーション回路であって、抵抗体３０と電源部３２から充放電回路部２２に至る経路上に設けられる発光部２８ａと、発光部２８ａによる光に応じて、導通となる受光部２８ｂとを有する。ここで、発光部２８ａは、特に限定されないが、たとえば、フォトダイオードである。また、受光部２８ｂは、特に限定されないが、たとえば、フォトトランジスタである。
【００３８】
手元操作部８がＯＦＦのときのみ、フォトカプラ２８の発光部２８ａに電流が流れないため、受光部２８ｂは、遮断状態となる。すなわち、制御部２４は、受光部２８ｂが遮断状態となる場合に、手元操作部８がＯＦＦであると判断する。
【００３９】
電源部３４は、制御部２４へ電力を供給する電源である。電源部３２および電源３４は、一つにまとめてもよい。
【００４０】
図５は、本発明の実施の形態おける電気掃除機１００のパワーダウン制御を行なう際の動作を示すフローチャートである。
【００４１】
図５を参照して、まず、ユーザは、手元操作部８へ操作を行なう（ステップＳ０１）。ユーザは、手元操作部８に含まれるスイッチをＯＮもしくは、強、弱の選択をする。
【００４２】
つづいて、充放電回路部２２において、位相制御の動作が開始する（ステップＳ０２）。
【００４３】
位相制御の動作において、まず、充放電回路部２２の内部に含まれるコンデンサへの充電が行なわれる。そして、制御部２４は、コンデンサの充電電圧が設定値以上であるかの判断を行なう。コンデンサの充電電圧が設定値以下である場合、充放電回路部２２は、充電を継続する。また、コンデンサの充電電圧が設定値以上である場合、充放電回路部２２は、駆動部２０に制御信号を出力する。このとき、駆動部２０は、制御信号に応じて、交流電源の電圧を電動送風機１８に供給して、電動送風機１８を動作させる。そして、上記のような位相制御が、交流電圧の半サイクル毎に繰り返される。
【００４４】
つづいて、制御部２４は、センサ３６により検知される温度の入力が設定値以上かどうか判断を行なう（ステップＳ０３）。
【００４５】
ステップＳ０３において、センサ３６により検知される入力が設定値以下であると判断される場合、制御部２４は、通常の運転を継続する。
【００４６】
そして、ステップＳ０３において、センサ３６により検知される入力が設定値以上であると判断される場合、制御部２４は、フォトカプラ２６の発光部２６ａの電流を遮断する（ステップＳ０４）。
【００４７】
そして、フォトカプラ２６において、発光部２６ａの電流が遮断されるに応じて、受光部２６ｂの電流が遮断される。そして、電流は、抵抗体３０を介して流れるため、充放電回路部２２において充放電周期が長くなる。その結果、電動送風機１８の出力は、交流電源の導通率が低下するため、パワーダウン制御される。
【００４８】
以上説明したとおり、センサ３６により検知される入力が設定値以下のとき、フォトカプラ２６は、制御部２４により発光部２６ａに電流が導通される。このとき、発光部２６ａの導通に応じて、受光部２６ｂも導通するため、充電電流を低下させることはない。したがって、手元操作部８の選択的に接続された抵抗体８ａおよび抵抗体８ｂのノードにより定まる充放電周期に基づいて、充放電を行なうことができる。しかし、センサ３６により検知される入力が設定値を越える場合、制御部２４は、フォトカプラ２６の発光部２６ａへの電流を遮断する。発光部２６ａの電流の遮断に応じて、受光部２６ｂは、遮断されるため、充電電流は、抵抗体３０を介して流れる。その結果、充放電周期は、長くなる。したがって、駆動部２０から電動送風機１８に供給される交流電圧の導通率が低下することにより、パワーダウン制御が行なわれる。
【００４９】
次に、電動送風機１８の始動時は、大きな回転トルクにより掃除機本体２００を振動させる。あるいは、掃除機本体２００に大きな突入電流が流れる。これらを防止するために電動掃除機１００は、手元操作部８のスイッチがＯＮにされてから第１の所定の時間パワーダウン制御を可能とする。
【００５０】
手元操作部８のスイッチがＯＮにされたからのパワーダウン制御の動作において、まず、手元操作部８のスイッチがＯＮされたことをフォトカプラ２８で検知する。このとき、制御部２４は、フォトカプラ２８の受光部２８ｂの導通の検知を行なう。そして、手元操作部８のスイッチがＯＮにされてから第１の所定の時間が経過するまで、制御部２４は、フォトカプラ２６の発光部２６ａによる発光を停止させる。すなわち、発光部２６ａへの電流の遮断に応じて、受光部２６ｂも遮断状態となるため、電気掃除機１００は、抵抗体３０を介して電流が流れることにより、パワーダウン制御を行なうことができる。その結果、電動送風機１８の回転トルクを小さく抑えるとともに突入電流も抑える制御が可能となる。
【００５１】
また、本発明の実施の形態において、電気掃除機１００は、センサ３６により検知される入力が設定値以上となった後に、原因を取り除くために手元操作部８によりＯＦＦしたとする。原因を取り除いた後、再び手元操作部８をＯＮする場合に、センサ３６により検知される入力が設定値以下となっていないことがある。たとえば、センサ３６が温度センサの場合は、原因を取り除いても、すぐに温度は、低下しない。また、パワーダウン制御により出力される風量では、センサ３６の入力を早急に設定値以下にすることが困難である。そのため、電気掃除機１００は、起動してからの第２の所定の時間、パワーダウン制御を解除することも可能とする。
【００５２】
ここで、電気掃除機１００が起動してからの第２の所定の時間、パワーダウン制御を解除する動作について説明する。
【００５３】
制御部２４は、センサ３６により検知される入力が設定値以上となるときに警報表示装置３８により警報表示を表示させる。警報表示の後に、ユーザは、手元操作部８により電流の遮断を行なうとする。警報表示は、たとえば、解除操作を行なわないと解除されないとする。ユーザは、原因を取り除いた後、警報表示の解除操作を行なう。そして、ユーザは、再び手元操作部８をＯＮにする。このとき、制御部２４は、警報表示が解除されてから、予め設定された待機時間が経過するまでの間に手元操作部８がＯＮされる場合、第２の所定の時間、通常運転を行なう。すなわち、制御部２４は、警報表示が解除されたと判断した後、予め設定された待機時間の間は、受光部２８ｂの導通の検知に応じて、センサ３６により検知される入力が設定値以上であっても、発光部２６ａにより発光させる。
【００５４】
また、手元操作部８がＯＮされてから第２の所定の時間が経過するまで、パワーダウン制御を解除した後に、制御部２４は、センサ３６により検知される入力が設定値以下である場合、そのまま通常運転の制御を行なう。しかし、センサ３６により検知される入力が設定値以上である場合、制御部２４は、発光部２６ａによる発光を停止する。すなわち、制御部２４は、再度パワーダウン制御を行なう。
【００５５】
あるいは、手元操作部８がＯＮされてから所定の時間が経過するまで、パワーダウン制御を解除している間、制御部２４は、センサ３６からの入力が設定値以上であっても、ＬＥＤ（Ｌｉｇｈｔ  Ｅｍｉｔｔｉｎｇ  Ｄｉｏｄｅ）やブザー等による警報表示装置３８による警報表示を表示させない。
【００５６】
そして、制御部２４は、一度、発光部２６ａによる発光を停止させた場合、その後、センサ３６により検知される入力に関わらず、受光部２８ｂを介して電流が流れる間、発光部２６ａによる発光の停止を継続する。すなわち、制御部２４は、一旦、パワーダウン制御が開始された場合、手元操作部８をＯＦＦにするまで、パワーダウン制御を継続する。これは、センサ３６からの入力の設定値の近辺で、センサ３６の入力がふらつくと電動送風機１８が通常運転とパワーダウン制御運転を繰り返す。その結果、使用者に不安感を抱かせる恐れがあるためである。
【００５７】
以上のように、本発明によれば、マイクロコンピュータを用いなくても温度が設定値以上となるに応じて電動送風機１８をパワーダウン制御することにより、温度上昇や圧力上昇による電気掃除機１００の不安全な現象等の発生を抑えることができる。
【００５８】
または、電動送風機１８の動作開始時に掃除機本体２００に大きな振動等を与えず、また突入電流も小さく抑えることができることにより、他の電気機器に影響を与えることもなく、使用者に不安を抱かせずに安全性を確保できる。
【００５９】
あるいは、手元操作部８をＯＦＦからＯＮすることにより、センサ３６からの入力が設定値以上であっても、第２の所定の時間パワーダウン制御を解除することにより、温度が設定値以上となる原因を取り除いた後に、電気掃除機１００を早急に通常運転することが可能である。そして、第２の所定の時間のパワーダウン制御の解除後は、センサ３６からの入力に応じた制御を実施する。すなわち、第２の所定の時間経過後も、センサ３６からの入力が設定値以上の場合は、パワーダウン制御になるため安全な制御が可能となる。
【００６０】
さらに、第２の所定の時間のパワーダウン制御の解除中は、ＬＥＤ、あるいは、ブザー等による警報も解除、あるいは、停止することにより、使用者に不快感を与えない。また、再度、温度が設定値以上となるときには明確な警報を与えることが可能である。
【００６１】
そして、一度、センサ３６からの温度の入力が設定値以上となると、パワーダウン制御を維持するように制御することにより、通常運転とパワーダウン制御運転を繰り返して使用者に不安を与えることなく制御が可能である。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６３】
【発明の効果】
以上説明したとおり、本発明は、電気掃除機において、抵抗体の一方端と他方端とを電気的に接続させるためのスイッチと、検知手段による検知に応じて、スイッチの導通と遮断とを切り換えるためのスイッチ制御手段とを含むことにより、マイクロコンピュータを用いなくても、温度および圧力のうちの少なくとも一方が設定値以上となるに応じて、スイッチを切り換えることにより、送風手段の駆動の制御を行なうことができる。
【００６４】
そのため、温度および圧力のうちの少なくとも一方が設定値以上になることにより、電気掃除機の駆動の不安全な現象等の発生を抑えることができる。
【図面の簡単な説明】
【図１】本発明の実施の形態における電気掃除機１００の概略を示す図である。
【図２】図１に示した掃除機本体２００の概略を示す図である。
【図３】本発明の実施の形態における掃除機本体２００内部に含まれる制御回路３００の機能ブロック図である。
【図４】本発明の実施の形態において、駆動部２０に入ってくる交流電圧のうち、位相制御により、電動送風機１８に供給される電圧を説明するための図である。
【図５】本発明の実施の形態おける電気掃除機１００のパワーダウン制御を行なう際の動作を示すフローチャートである。
【符号の説明】
２  ヘッド、４  パイプ、６  グリップ、８  手元操作部、８ａ  抵抗体、８ｂ  抵抗体、１０  ホース、１２  電源コード、１４  電源プラグ、１６  集塵室、１８  電動送風機、２０  駆動部、２２  充放電回路部、２４  制御部、２６、２８  フォトカプラ、２６ａ、２８ａ  発光部、２６ｂ、２８ｂ  受光部、３０  抵抗体、３２、３４  電源部、３６  センサ、３８  警報表示装置、４０抵抗値可変部、４２  導通検知部、１００  電気掃除機、２００  掃除機本体、３００  制御回路。
【図１】
2004261239.tif 000003
【図２】
2004261239.tif 000004
【図３】
2004261239.tif 000005
【図４】
2004261239.tif 000006
【図５】
2004261239.tif 000007